(57)【要約】  空間光通信システムにおいては、受信光とシングルモードファイバとの結合効率の劣化が避けられず、伝送レートの高速化を図ることが困難であるため、本発明の空間光受信装置は、空間伝送路を伝搬した波長多重された受信側レーザ光を集光する集光手段と、集光手段が集光した受信側レーザ光を入力し、波長毎に励起状態が異なる、複数の伝搬モード光を含む伝搬モード群を生成し、複数の伝搬モード光ごとに分離して出力する励起モード制御手段と、複数の伝搬モード光をそれぞれ導波する複数の単一モード伝送媒体と、複数の単一モード伝送媒体を介して複数の伝搬モード光をそれぞれ受光する複数の受光手段、とを有する。
2016047100.tif 000002
【特許請求の範囲】
【請求項１】
空間伝送路を伝搬した波長多重された受信側レーザ光を集光する集光手段と、
前記集光手段が集光した前記受信側レーザ光を入力し、波長毎に励起状態が異なる、複数の伝搬モード光を含む伝搬モード群を生成し、前記複数の伝搬モード光ごとに分離して出力する励起モード制御手段と、
前記複数の伝搬モード光をそれぞれ導波する複数の単一モード伝送媒体と、
前記複数の単一モード伝送媒体を介して前記複数の伝搬モード光をそれぞれ受光する複数の受光手段、とを有する
空間光受信装置。
【請求項２】
請求項１に記載した空間光受信装置において、
前記励起モード制御手段は、
前記受信側レーザ光を波長毎に異なる入射状態で入力し、前記伝搬モード群を出力するマルチモード伝送媒体と、
前記伝搬モード群を入力し、前記複数の伝搬モード光ごとに分離して出力するレーザ光分離手段、とを備える
空間光受信装置。
【請求項３】
請求項２に記載した空間光受信装置において、
前記励起モード制御手段は、前記マルチモード伝送媒体の前段に波長分散手段を備え、
前記波長分散手段は、前記受信側レーザ光を入力し、前記マルチモード伝送媒体に励起する伝搬モードを制御する
空間光受信装置。
【請求項４】
請求項３に記載した空間光受信装置において、
前記波長分散手段は、前記受信側レーザ光を入力し、前記受信側レーザ光を波長毎に分岐し、前記波長毎に前記マルチモード伝送媒体の端面の異なる位置に出力する
空間光受信装置。
【請求項５】
空間光送信装置と空間光受信装置を有し、
前記空間光送信装置は、
波長の異なる複数のレーザ光を多重した波長多重レーザ光を送出する波長多重レーザ光送出手段と、
前記波長多重レーザ光の出射角を波長毎に異ならせた送信側レーザ光を、単一の光軸からなる光学系から空間伝送路に出射するコリメート手段、とを備え、
前記空間光受信装置は、
前記送信側レーザ光が前記空間伝送路を伝搬した後の受信側レーザ光を集光する集光手段と、
前記集光手段が集光した前記受信側レーザ光を入力し、波長毎に励起状態が異なる、複数の伝搬モード光を含む伝搬モード群を生成し、前記複数の伝搬モード光ごとに分離して出力する励起モード制御手段と、
前記複数の伝搬モード光をそれぞれ導波する複数の単一モード伝送媒体と、
前記複数の単一モード伝送媒体を介して前記複数の伝搬モード光をそれぞれ受光する複数の受光手段、とを有する
空間光通信システム。
【請求項６】
請求項５に記載した空間光通信システムにおいて、
前記空間光受信装置は、前記複数の受光手段が出力する複数の受信信号に信号処理を施し、前記複数の受信信号を合成した出力信号を出力する信号処理手段をさらに有し、
前記コリメート手段は、前記波長多重レーザ光を波長毎に異なる角度で出射させる送信側マルチモード伝送媒体を備え、
前記励起モード制御手段は、前記受信側レーザ光を波長毎に異なる入射状態で入力し、前記伝搬モード群を出力するマルチモード伝送媒体と、
前記伝搬モード群を入力し、前記複数の伝搬モード光ごとに分離して出力するレーザ光分離手段、とを備える
空間光通信システム。
【請求項７】
請求項６に記載した空間光通信システムにおいて、
前記波長多重レーザ光送出手段は、
波長の異なるレーザ光をそれぞれ送出する複数のレーザ送信手段と、
前記複数のレーザ送信手段が送出する前記レーザ光を合波する合波手段と、
前記レーザ光によって送信するデータ信号を生成する信号源と、
前記信号源から入力した前記データ信号に、前記波長毎に異なる所定の遅延量を与えて前記レーザ送信手段に送出する送信側遅延手段、とを備え、
前記信号処理手段は、第１の信号処理手段と、受信側遅延手段と、第２の信号処理手段とを含み、
前記第１の信号処理手段は、前記複数の受光手段が出力する複数の受信信号に対して、前記波長が同一である前記受信信号毎に信号処理を施して、前記波長毎に第１の処理信号を出力し、
前記受信側遅延手段は、前記第１の処理信号に、前記波長毎に異なる前記遅延量を与えた第２の処理信号を出力し、
前記第２の信号処理手段は、前記第２の処理信号に信号処理を施し、前記第２の処理信号を合成した出力信号を出力する
空間光通信システム。
【請求項８】
請求項６に記載した空間光通信システムにおいて、
前記波長多重レーザ光送出手段は、
波長の異なる搬送波レーザ光をそれぞれ送出する複数のレーザ光源と、
前記複数のレーザ光源がそれぞれ送出する前記搬送波レーザ光を合波して波長多重搬送波レーザ光を送出する合波手段と、
送信するデータ信号を生成する信号源と、
前記波長多重搬送波レーザ光を、前記データ信号を用いて変調した波長多重レーザ光を送出する変調手段、とを備え、
前記信号処理手段は、第１の信号処理手段と第２の信号処理手段を含み、
前記第１の信号処理手段は、前記複数の受光手段が出力する複数の受信信号に対して、前記伝搬モード光が同一である前記受信信号毎に信号処理を施して、前記伝搬モード光毎に処理信号を出力し、
前記第２の信号処理手段は、前記処理信号に信号処理を施し、前記処理信号を合成した出力信号を出力する
空間光通信システム。
【請求項９】
請求項８に記載した空間光通信システムにおいて、
前記第１の信号処理手段のうち、一の波長に対応した検出用第１の信号処理手段が位相オフセット情報を検出し、前記位相オフセット情報を他の波長に対応した前記第１の信号処理手段に送出する
空間光通信システム。
【請求項１０】
波長の異なる複数のレーザ光を多重した波長多重レーザ光を送出し、
前記波長多重レーザ光を単一の光軸からなる光学系に導入し、前記光学系から送信側レーザ光を空間伝送路に出射し、
前記送信側レーザ光が前記空間伝送路を伝搬した後の受信側レーザ光を集光し、
集光した前記受信側レーザ光から、波長毎に励起状態が異なる、複数の伝搬モード光を含む伝搬モード群を生成し、前記複数の伝搬モード光ごとに分離し、
前記複数の伝搬モード光を複数の単一モード伝送媒体にそれぞれ導入し、
前記複数の単一モード伝送媒体を導波した前記複数の伝搬モード光をそれぞれ受光する
空間光通信方法。
【発明の詳細な説明】
【技術分野】
【０００１】
本発明は、空間光受信装置、空間光通信システムおよび空間光通信方法に関し、特に、自由空間を伝搬するレーザ光により光通信を行う空間光受信装置、空間光通信システムおよび空間光通信方法に関する。
【背景技術】
【０００２】
近年、リモートセンシング技術の発達により、航空機や人工衛星に搭載される観測機器の性能が向上し、上空から地上へ伝送される情報量が増大している。将来のさらなる観測機器の性能向上に対応するために、無線周波数帯域の制約を受けない、光周波数帯を用いた空間光通信（Ｆｒｅｅ  Ｓｐａｃｅ  Ｏｐｔｉｃｓ：ＦＳＯ）が検討されている。空間光通信（ＦＳＯ）の大容量化のためには、伝送レートの高速化技術と波長多重技術が必要とされている。その際に、光ファイバ通信技術と共通の技術を利用すること、すなわちシングルモードファイバ（Ｓｉｎｇｌｅ  Ｍｏｄｅ  Ｆｉｂｅｒ：ＳＭＦ）を用いた光送受信技術を応用することが効率的である。【０００３】
このような光ファイバ通信技術を用いた空間光通信装置の例が特許文献１および特許文献２に記載されている。【０００４】
空間光通信（ＦＳＯ）技術では一般に、変調したレーザ光を狭ビームで送信し大気中を伝搬させる。受信側では、光アンテナで集光し、短距離のファイバを伝送させた後に信号受信を行う。【０００５】
空間光通信（ＦＳＯ）受信装置では、以下に述べるように、大気伝搬によるレーザ光の波面乱れが問題となる。空間光通信（ＦＳＯ）受信装置の集光部では焦点面（フォーカルプレーン）上にビームスポットが形成されるが、大気の擾乱によりビームスポットにスペックルパターンが発生する。スペックルパターンの発生により、ビームスポットは理想的な焦点面に対して拡散あるいは移動（シンチレーション）する。【０００６】
空間光通信（ＦＳＯ）受信装置では信号のビットレートが高速化するにしたがって、シングルモードファイバ（ＳＭＦ）と光結合させる必要があるが、上述したビームスポットが変動する現象は結合効率の劣化をもたらすため極めて大きな問題となる。その理由は、ファイバのコア径が小さいシングルモードファイバ（ＳＭＦ）では、相対的にスペックルパターンの影響が大きいため、僅かなシンチレーションで受信データの欠損が発生し、実効的な通信レートが低下するからである。【０００７】
上述したシングルモードファイバ（ＳＭＦ）との結合効率の劣化を回避するために、特許文献１に記載された空間光通信装置では、複数本の光ファイバを密接状に束ねたファイバケーブル、例えば光ファイババンドルを用いた構成としている。具体的には、特許文献１に記載された空間光通信装置は、送受信望遠鏡で受信した通信相手局からの光ビームが導入される集光光学系としての凸レンズと、複数の光ファイバを密接状に束ねたファイバケーブルとを備えた精捕捉追尾機能部を有する。そして、第１〜第ｎ光ファイバの端部が露出するファイバケーブルの一方端である送受光面上に、凸レンズを透過した光ビームの光焦点を生ぜしめ、少なくとも１つの光ファイバに入射光を結合させる。これにより、第１〜第ｎ光ファイバの何れかを経て受信光を導く構成としている。【０００８】
また、特許文献２には、大きなコアから小さなコアへと徐々に細くなっている単一のファイバを、ファイババンドルに替えて用いることとしたＦＳＯレシーバが記載されている。具体的には、特許文献２に記載されたＦＳＯレシーバは、テレスコープ収集システムと、波長デマルチプレクサと、ダイオード光検出器と、アナログ・デジタル変換器と、デジタル信号プロセッサとを含む。そして、徐々に細くなっているファイババンドルまたは徐々に細くなっている単一のファイバが、デマルチプレクサから複数の個別のファイバ端面に光を収集し、光検出器に対して入力するためにその光を単一の出力ファイバに集中させる構成としている。【０００９】
この手段によって、比較的大きな光アパーチャが光信号を収集するために提供される。このように、効率よく光検出を行うために、収集された光を単一モードの出力ファイバに効率的に結合するための断熱テーパーを用いた、徐々に細くなっているファイババンドルが知られている。そして、このように大きなアパーチャ構成を利用可能としたことにより、通信システムの性能を悪化させるビーム・ワンダー（ｂｅａｍ  ｗａｎｄｅｒ）に対するより大きな耐性が得られる、としている。【００１０】
特許文献２にはさらに、２つ以上のダイオード・レーザーと、波長のマルチプレクサとテレスコープの機能を組み合わせた光学系を備え、波長により多重化された出力ビームを出射するＦＳＯトランスミッタが記載されている。この出力ビームの波面は大気乱流のセルを通過するときに変形されるが、位相ひずみの量は波長に依存しているので、異なる波長チャネルにおける信号は異なる位相ひずみを受けることになる。そして、出力ビームが十分な距離を伝搬した後には、それぞれの波長チャネルにおける位相ひずみは相互に関連がなくなる。したがって、２つ以上の異なる波長チャネルについて、ＦＳＯレシーバで別個の光検出を実行することにより利得を達成することできる、としている。
【先行技術文献】
【特許文献】
【００１１】
【特許文献１】特開２００６−３３３０７０号公報（段落［００１９］〜［００４３］、図１、図２）
【特許文献２】特表２０１３−５３５８７１号公報（段落［０００９］〜［００３３］、図１〜図４）
【発明の概要】
【発明が解決しようとする課題】
【００１２】
上述した特許文献１に記載された空間光通信装置において、光ファイババンドル中の個々のファイバのクラッド部に照射された光信号は、受信されずに損失となる。ここで、コアの面積に対するクラッドの面積の比は小さいとは言えないので、上述した損失は無視できないものである。そのため、光ファイババンドルを用いた構成では、シングルモードファイバ（ＳＭＦ）との結合効率の劣化を回避することが困難である、という問題がある。【００１３】
また、上述した特許文献２に記載されたＦＳＯレシーバにおいては、単一コアによるテーパーファイバのコアの辺縁部にコヒーレントな信号光を照射すると、大きなコア領域のファイバに高次モードが励起される。このとき、後段のシングルモードファイバ（ＳＭＦ）が伝搬できない高次モードは、断熱テーパーの過程で放射損失となる。そのため、特許文献２に記載されたＦＳＯレシーバを用いても、ビームスポットの移動に伴う損失の発生を回避することができない、という問題がある。【００１４】
さらに、特許文献２に記載されている大気の波長分散特性を用いたＦＳＯシステムでは、大気の波長分散特性が極めて小さいため、波長ダイバーシティによる効果を得ることは困難である、という問題がある。具体的に説明すると、大気の屈折率ｎの波長（λ）分散特性ｄｎ／ｄλは温度や気温によらず、およそ１０−８ （／ｎｍ）のオーダーであり極めて小さい。そのため、例えばエルビウム添加光ファイバ増幅器（ｅｒｂｉｕｍ−ｄｏｐｅｄ  ｏｐｔｉｃａｌ  ｆｉｂｅｒ  ａｍｐｌｉｆｉｅｒ：ＥＤＦＡ）の利得帯域である約３０ｎｍの波長差によって得られる屈折率差Δｎは１０−６よりも小さい。このときの分散角Δθは、ΔθとｓｉｎθおよびΔｎが近似的に等しいとすると、マイクロラジアン（μｒａｄ）のオーダーとなる。以上説明したように、特許文献２に記載されたＦＳＯシステムでは、波長のダイバーシティによる効果を得ることは困難であり、シンチレーションによる受信効率の劣化を緩和することができない、という問題がある。【００１５】
このように、空間光通信システムにおいては、受信光とシングルモードファイバとの結合効率の劣化が避けられず、伝送レートの高速化を図ることが困難である、という問題があった。【００１６】
本発明の目的は、上述した課題である、空間光通信システムにおいては、受信光とシングルモードファイバとの結合効率の劣化が避けられず、伝送レートの高速化を図ることが困難である、という課題を解決する空間光受信装置、空間光通信システムおよび空間光通信方法を提供することにある。
【課題を解決するための手段】
【００１７】
本発明の空間光受信装置は、空間伝送路を伝搬した波長多重された受信側レーザ光を集光する集光手段と、集光手段が集光した受信側レーザ光を入力し、波長毎に励起状態が異なる、複数の伝搬モード光を含む伝搬モード群を生成し、複数の伝搬モード光ごとに分離して出力する励起モード制御手段と、複数の伝搬モード光をそれぞれ導波する複数の単一モード伝送媒体と、複数の単一モード伝送媒体を介して複数の伝搬モード光をそれぞれ受光する複数の受光手段、とを有する。【００１８】
本発明の空間光通信システムは、空間光送信装置と空間光受信装置を有し、空間光送信装置は、波長の異なる複数のレーザ光を多重した波長多重レーザ光を送出する波長多重レーザ光送出手段と、波長多重レーザ光の出射角を波長毎に異ならせた送信側レーザ光を、単一の光軸からなる光学系から空間伝送路に出射するコリメート手段、とを備え、空間光受信装置は、送信側レーザ光が空間伝送路を伝搬した後の受信側レーザ光を集光する集光手段と、集光手段が集光した受信側レーザ光を入力し、波長毎に励起状態が異なる、複数の伝搬モード光を含む伝搬モード群を生成し、複数の伝搬モード光ごとに分離して出力する励起モード制御手段と、複数の伝搬モード光をそれぞれ導波する複数の単一モード伝送媒体と、複数の単一モード伝送媒体を介して複数の伝搬モード光をそれぞれ受光する複数の受光手段、とを有する。【００１９】
本発明の空間光通信方法は、波長の異なる複数のレーザ光を多重した波長多重レーザ光を送出し、波長多重レーザ光を単一の光軸からなる光学系に導入し、光学系から送信側レーザ光を空間伝送路に出射し、送信側レーザ光が空間伝送路を伝搬した後の受信側レーザ光を集光し、集光した受信側レーザ光から、波長毎に励起状態が異なる、複数の伝搬モード光を含む伝搬モード群を生成し、複数の伝搬モード光ごとに分離し、複数の伝搬モード光を複数の単一モード伝送媒体にそれぞれ導入し、複数の単一モード伝送媒体を導波した複数の伝搬モード光をそれぞれ受光する。
【発明の効果】
【００２０】
本発明の空間光受信装置、空間光通信システムおよび空間光通信方法によれば、受信光とシングルモードファイバとの結合効率の劣化が通信特性に及ぼす影響を緩和し、伝送レートの高速化を図ることができる。
【図面の簡単な説明】
【００２１】
【図１】本発明の第１の実施形態に係る空間光受信装置の構成を示すブロック図である。
【図２】本発明の第１の実施形態に係る空間光通信システムの構成を示すブロック図である。
【図３】本発明の第２の実施形態に係る空間光通信システムの構成を示すブロック図である。
【図４Ａ】本発明の第２の実施形態に係る空間光送信装置が出射するレーザ光の伝搬形態を模式的に示す図である。
【図４Ｂ】本発明の第２の実施形態に係る空間光送信装置が出射するレーザ光の別の伝搬形態を模式的に示す図である。
【図５】本発明の第２の実施形態に係る空間光受信装置が単一波長の信号光を受光してモード分離した後のモード毎のパワーの時間変化を模式的に示した図である。
【図６】本発明の第２の実施形態に係る空間光受信装置が単一波長の信号光を受光した場合における、信号処理手段の動作を説明するための模式図である。
【図７】本発明の第２の実施形態に係る空間光受信装置が備えるマルチモード伝送媒体に入射する信号光の波面の状態を説明するための概念図である。
【図８】本発明の第２の実施形態に係る空間光受信装置が備える信号処理手段の動作を説明するための、関連する空間光受信装置の構成を示すブロック図である。
【図９】本発明の第２の実施形態に係る空間光受信装置が備える信号処理手段の動作を説明するための、空間光受信装置の構成を示すブロック図である。
【図１０】本発明の第３の実施形態に係る空間光受信装置の構成を示すブロック図である。
【図１１】本発明の第３の実施形態に係る空間光受信装置が備える波長分散手段の動作を説明するための模式図である。
【図１２】本発明の第３の実施形態に係る空間光受信装置の別の構成による動作を説明するための模式図である。
【図１３】本発明の第４の実施形態に係る空間光通信システムの構成を示すブロック図である。
【図１４】本発明の第５の実施形態に係る空間光通信システムの構成を示すブロック図である。
【図１５】本発明の第６の実施形態に係る空間光通信システムの構成を示すブロック図である。
【図１６】本発明の第６の実施形態に係る空間光通信システムの別の構成を示すブロック図である。
【図１７】本発明の第６の実施形態に係る空間光受信装置の別の構成を示すブロック図である。
【図１８】本発明の第７の実施形態に係る空間光受信装置の構成を示すブロック図である。
【発明を実施するための形態】
【００２２】
以下に、図面を参照しながら、本発明の実施形態について説明する。なお、図面中の矢印の向きは、一例を示すものであり、ブロック間の信号の向きを限定するものではない。
【００２３】
〔第１の実施形態〕
図１は、本発明の第１の実施形態に係る空間光受信装置１００の構成を示すブロック図である。空間光受信装置１００は、集光手段１１０、励起モード制御手段１２０、複数の単一モード伝送媒体１３０、および複数の受光手段１４０を有する。
【００２４】
集光手段１１０は、空間伝送路を伝搬した波長多重された受信側レーザ光１０１を集光する。励起モード制御手段１２０は、集光手段１１０が集光した受信側レーザ光１０１を入力し、波長毎に励起状態が異なる、複数の伝搬モード光を含む伝搬モード群を生成し、複数の伝搬モード光ごとに分離して出力する。単一モード伝送媒体１３０は、複数の伝搬モード光をそれぞれ導波する。そして受光手段１４０は、単一モード伝送媒体１３０を介して複数の伝搬モード光をそれぞれ受光する。
【００２５】
上述したように、空間光通信（ＦＳＯ）において問題となる受信光強度の変動（シンチレーション）は、大気のランダムな擾乱によるレーザ光の波面変動に起因する。ここで、本実施形態の空間光受信装置１００においては、励起モード制御手段１２０が受信側レーザ光１０１を入力し、波長毎に励起状態が異なる、複数の伝搬モード光を含む伝搬モード群を生成し、複数の伝搬モード光ごとに分離して出力する構成としている。このような構成とすることにより、大気の擾乱によるレーザ光の波面変動を、複数の波長の複数の伝搬モード光に分散させることが可能となる。その結果、本実施形態の空間光受信装置１００によれば、受信光とシングルモードファイバとの結合効率の劣化が通信特性に及ぼす影響を緩和し、伝送レートの高速化を図ることができる。
【００２６】
次に、本実施形態による空間光通信システムについて説明する。
【００２７】
図２は、本実施形態による空間光通信システム１０００の構成を示すブロック図である。空間光通信システム１０００は空間光受信装置１１００と空間光送信装置１２００とを有し、その間の自由空間の伝送路を介して信号光を伝搬させる。ここで自由空間には、宇宙空間および大気空間の少なくとも一方が含まれる。
【００２８】
空間光送信装置１２００は、波長多重レーザ光送出手段２１０およびコリメート手段２２０を備える。波長多重レーザ光送出手段２１０は、波長の異なる複数のレーザ光を多重した波長多重レーザ光を送出する。コリメート手段２２０は波長多重レーザ光を入力し、単一の光軸からなる光学系から送信側レーザ光２０１を空間伝送路に出射する。
【００２９】
空間光受信装置１１００は、図１に示した構成と同様である。空間光通信システム１０００においては、空間光受信装置１１００が備える集光手段１１０が、送信側レーザ光２０１が空間伝送路を伝搬した後の受信側レーザ光１０１を集光する。ここで受信側レーザ光１０１には、大気の擾乱１００１によるレーザ光の波面変動が生じている。
【００３０】
本実施形態による空間光通信システム１０００について、さらに詳細に説明する。
【００３１】
空間光送信装置１２００が備える波長多重レーザ光送出手段２１０は、波長の異なる複数のレーザ送信手段２１１と合波手段２１２を備えた構成とすることができる。複数のレーザ送信手段２１１は、それぞれ異なる波長のレーザ光を生成し、送信信号で変調して出力する。合波手段２１２は複数の波長の異なるレーザ光を合波する。そして、コリメート手段２２０は合波したレーザ光を自由空間に送出する。
【００３２】
空間光受信装置１１００が備える励起モード制御手段１２０は、集光手段１１０が集光した受信側レーザ光１０１をレーザ光の波面変動に応じて複数の伝搬モード光に分離する。また、励起モード制御手段１２０がさらに波長分離して出力する構成とすることができる。この場合、波長数を「ｗ」、伝搬モード数を「ｍ」とすると、受信側レーザ光１０１は「ｗｍ」個に分離され、単一モード伝送媒体１３０および受光手段１４０の個数も「ｗｍ」個となる。
【００３３】
上述した場合、空間光受信装置１１００が備える励起モード制御手段１２０は、集光手段１１０が集光した受信側レーザ光１０１を、複数の波長とレーザ光の波面変動に応じた複数の伝搬モード光に分離して出力する。具体的には例えば、レーザ光の波面乱れが大きい場合、励起モード制御手段１２０は集光手段１１０が集光した受信側レーザ光１０１を、複数の波長と複数の伝搬モード光に分離して出力する構成とすることができる。一方、レーザ光の波面乱れが小さい場合、励起モード制御手段１２０は集光した受信側レーザ光１０１の伝搬モードを制御してから、複数の波長と複数の伝搬モード光に分離して出力する構成とすることができる。
【００３４】
このような構成とすることにより、本実施形態による空間光通信システム１０００によれば、受信光とシングルモードファイバとの結合効率の劣化が通信特性に及ぼす影響を緩和し、伝送レートの高速化を図ることができる。
【００３５】
次に、本実施形態による空間光通信方法について説明する。
【００３６】
本実施形態の空間光通信方法においては、まず、波長の異なる複数のレーザ光を多重した波長多重レーザ光を送出する。続いて、波長多重レーザ光を単一の光軸からなる光学系に導入し、この光学系から送信側レーザ光を空間伝送路に出射する。その後に、送信側レーザ光が空間伝送路を伝搬した後の受信側レーザ光を集光する。集光した受信側レーザ光から、波長毎に励起状態が異なる、複数の伝搬モード光を含む伝搬モード群を生成し、複数の伝搬モード光ごとに分離する。そして、複数の伝搬モード光を複数の単一モード伝送媒体にそれぞれ導入し、複数の単一モード伝送媒体を導波した複数の伝搬モード光をそれぞれ受光する。
【００３７】
このような構成とすることにより、本実施形態の空間光通信方法によれば、受信光とシングルモードファイバとの結合効率の劣化が通信特性に及ぼす影響を緩和し、伝送レートの高速化を図ることができる。
【００３８】
なお、本実施形態において、大気の擾乱１００１によるレーザ光の波面変動と、その結果による複数の伝搬モード光の励起は、宇宙空間においては原理的には発生しない。しかし、本構成の原理は、装置の振動などによるマルチモードファイバに入射する信号光の波面変化にも適用することが可能である。その結果、宇宙空間を空間伝送路とする空間光通信装置においても同様の効果がある。
【００３９】
〔第２の実施形態〕
次に、本発明の第２の実施形態について説明する。図３は、本発明の第２の実施形態に係る空間光通信システム２０００の構成を示すブロック図である。空間光通信システム２０００は空間光受信装置２１００と空間光送信装置２２００とを有し、その間の自由空間の伝送路を介して信号光を伝搬させる。
【００４０】
空間光送信装置２２００は、波長多重レーザ光送出手段２１０およびコリメート手段２２０を備える。波長多重レーザ光送出手段２１０は、波長の異なる複数のレーザ光を多重した波長多重レーザ光を送出する。コリメート手段２２０は、波長多重レーザ光の出射角を波長毎に異ならせた送信側レーザ光を、単一の光軸からなる光学系から空間伝送路に出射する。ここでコリメート手段２２０は、波長多重レーザ光を波長毎に異なる角度で出射させる送信側マルチモード伝送媒体を備えた構成とすることができる。
【００４１】
空間光受信装置２１００は、集光手段１１０、励起モード制御手段１２０、複数の単一モード伝送媒体１３０、複数の受光手段１４０、および信号処理手段１５０を有する。
【００４２】
本実施形態の空間光受信装置２１００が備える励起モード制御手段１２０は、マルチモード伝送媒体１２１とレーザ光分離手段１２２を備えた構成とした。ここで、マルチモード伝送媒体１２１は、受信側レーザ光１０１を波長毎に異なる入射状態で入力し、伝搬モード群を出力する。レーザ光分離手段１２２は、この伝搬モード群を入力し、複数の伝搬モード光ごとに分離して出力する。
【００４３】
次に、本実施形態による空間光通信システム２０００について、さらに詳細に説明する。
【００４４】
図３に示すように、空間光送信装置２２００が備える波長多重レーザ光送出手段２１０は、波長の異なる複数のレーザ送信手段２１１、合波手段２１２、および信号源２１３を備えた構成とした。
【００４５】
レーザ送信手段２１１には、複数の波長の搬送波レーザ光を出力するレーザ光源と、信号源２１３から供給されるデータ信号によって搬送波レーザ光を変調し、変調されたレーザ光を出力する変調手段が含まれる。ここで複数のレーザ光源を独立に制御することにより、それぞれ動作状態または停止状態とすることが可能である。
【００４６】
コリメート手段２２０は、空間光受信装置２１００を追尾する追尾手段を備え、１個の望遠鏡などを含む単一の光学系を有する。
【００４７】
信号源２１３が生成する送信信号のビットレートが高い場合、空間光送信装置２２００内のレーザ光の伝送媒体として、高速変調したレーザ光の伝送に適したシングルモードファイバ（ＳＭＦ）を用いることができる。なお、合波手段２１２の出力側とコリメート手段２２０の接続には、マルチモードファイバ（ＭＭＦ）を用いることとしてもよい。
【００４８】
本実施形態の空間光受信装置２１００が備える集光手段１１０は、空間光送信装置２２００を追尾する追尾手段によって制御されながら、空間伝送路を伝搬した受信側レーザ光１０１を集光し、後段のマルチモード伝送媒体１２１に集光する。マルチモード伝送媒体１２１として、典型的にはマルチモードファイバ（ＭＭＦ）を用いることができる。しかし、これに限らず、平面光波回路（Ｐｌａｎａｒ  Ｌｉｇｈｔｗａｖｅ  Ｃｉｒｃｕｉｔ：ＰＬＣ）または３次元光導波路素子などを用いることとしてもよい。
【００４９】
レーザ光分離手段１２２はモード分離手段を有し、さらに波長分離手段を備えた構成とすることができる。モード分離手段と波長分離手段の両方を備える場合、これらの配置の順序は可換である。波長分離手段は、空間光送信装置２２００において波長多重された複数の波長のレーザ光を分離する機能を有する。波長分離手段は、アレイ導波路回折格子（Ａｒｒａｙｅｄ  Ｗａｖｅｇｕｉｄｅ  Ｇｒａｔｉｎｇ：ＡＷＧ）または干渉膜フィルタなどを用いることにより実現することができる。モード分離手段は、マルチモードファイバ（ＭＭＦ）を伝搬することが可能な固有モード（以下、単に「モード」と言う）にレーザ光を分離し、それぞれをシングルモードファイバ（ＳＭＦ）に結合する機能を有する。モード分離手段は、波長板などを用いることにより実現することができる。
【００５０】
単一モード伝送媒体１３０および受光手段１４０は、第１の実施形態による空間光受信装置１００によるものと同様である。すなわち、単一モード伝送媒体１３０は、複数の伝搬モード光をそれぞれ導波する。単一モード伝送媒体１３０として、典型的にはシングルモードファイバ（Ｓｉｎｇｌｅ  Ｍｏｄｅ  Ｆｉｂｅｒ：ＳＭＦ）を用いることができる。  受光手段１４０は、複数の単一モード伝送媒体１３０を介して複数の伝搬モード光をそれぞれ受光する。
【００５１】
信号処理手段１５０は、複数の受光手段１４０が出力する複数の受信信号に信号処理を施し、複数の受信信号を合成した出力信号を出力する。
【００５２】
次に、本実施形態による空間光通信システム２０００の動作について説明する。
【００５３】
本実施形態の空間光送信装置２２００が備える信号源２１３は、空間光送信装置２２００が送信する信号を生成する。その信号を用いて、レーザ送信手段２１１は複数の波長のレーザ光を変調する。変調された複数の波長のレーザ光は、合波手段２１２によって波長多重される。合波手段２１２によって波長多重されたレーザ光は、コリメート手段２２０から自由空間に送出される。
【００５４】
自由空間に送出された送信側レーザ光２０１は、大気の擾乱などにより波面が乱れる。  自由空間を伝搬し波面の乱れを受けた受信側レーザ光１０１は、集光手段１１０によってマルチモード伝送媒体１２１の端面に集光される。集光された受信側レーザ光は信号光としてマルチモード伝送媒体１２１を伝搬し、レーザ光分離手段１２２に接続される。信号光は、レーザ光分離手段１２２における波長分離手段およびモード分離手段によって複数の直交するモードに分離される。分離された信号光は、それぞれ単一モード伝送媒体１３０としてのシングルモードファイバ（ＳＭＦ）に出力される。ここで、シングルモードに分離可能な信号光の個数は、波長数（ｗ）とマルチモード伝送媒体１２１を伝搬可能なモード数（ｍ）の積に等しいかまたは小さい個数である。
【００５５】
単一モード伝送媒体１３０に結合された複数のシングルモード光は、それぞれ受光手段１４０で受信され、各モードの受信信号が生成される。全ての受信信号は信号処理手段１５０で信号処理され、受信信号が出力される。
【００５６】
本実施形態の空間光受信装置２１００は、励起モード制御手段１２０の入力部に、シングルモードファイバ（ＳＭＦ）に比べてコア面積が広いマルチモードファイバ（ＭＭＦ）に代表されるマルチモード伝送媒体１２１を備えたことを特徴とする。信号光をマルチモードファイバ（ＭＭＦ）に結合し、モード分離によってシングルモードに変換することによって、シングルモードファイバ（ＳＭＦ）では結合できなかった信号光の波面成分をシングルモードファイバ（ＳＭＦ）に結合することが可能になる。また、波長多重された信号光によって、ファイバ端面上に生成するスペックルパターンに波長依存性が生じる。その結果、マルチモードファイバ（ＭＭＦ）に励起されるモードと波長が対応付けられることになる。
【００５７】
波長およびモード毎に分離され、シングルモードに変換された信号光はそれぞれ、受光手段１４０により光電変換される。その後に、信号処理手段１５０において再合成され、送信された信号が再生される。
【００５８】
本実施形態の空間光受信装置２１００によれば、波面が乱れた受信側レーザ光１０１をマルチモードファイバ（ＭＭＦ）に結合し、波長およびモード毎に分離することにより、大気の擾乱による影響を直交する複数の信号光に分散させることが可能となる。すなわち、単一波長の信号光を集光手段からシングルモードファイバ（ＳＭＦ）に結合する場合と比較し、最大の場合で、波長数（ｗ）とモード数（ｍ）の積である「ｗｍ」個に相当する信号光にシンチレーションの影響を拡散させることができる。
【００５９】
上述した効果は、波長を用いたダイバーシティ効果であり、これにより空間光通信（ＦＳＯ）における大気の擾乱の影響を緩和することができる。この波長ダイバーシティを用いることにより、伝送信号のビットレートの高速化と高効率なファイバ結合の両立を図ることができ、大容量な空間光通信（ＦＳＯ）が可能となる。
【００６０】
次に、本実施形態による空間光通信システム２０００を構成する各手段の構成および動作について、さらに詳細に説明する。
【００６１】
本実施形態の空間光送信装置２２００が備えるレーザ送信手段２１１は、複数波長の搬送波レーザ光を出力するレーザ光源を有し、信号源２１３が生成した一連のデータ信号によって各搬送波レーザ光を変調し、変調されたレーザ光を出力する。変調方式は特に限定されず、既知の様々な手法を適用することができる。また、信号によるレーザの変調手法も、既知の様々な技術を適用することが可能である。
【００６２】
図３においては、単一の信号源２１３が、全てのレーザ送信手段２１１に同一の信号を分配する構成を示したが、これに限らず、複数の信号源２１３を備えた構成としてもよい。この場合、複数の信号源２１３と複数のレーザ送信手段２１１をスイッチ手段で接続し、複数の信号源２１３からの信号をそれぞれ異なる波長の任意の波長数の組み合わせにより、ダイバーシティ方式で送信する構成とすることができる。
【００６３】
合波手段２１２は、複数のシングルモードファイバ（ＳＭＦ）により伝搬されるレーザ送信手段２１１の異なる波長の出力信号光を波長多重して合波し、単一のシングルモードファイバ（ＳＭＦ）またはマルチモードファイバ（ＭＭＦ）に出力する。合波手段２１２には、ＡＷＧ、干渉膜フィルタ、またはモード多重技術などの既知の技術を適用することができる。また、合波手段２１２は、レーザ光を増幅する光増幅手段を含む構成としてもよい。光増幅手段は、出力光強度を可変する出力調整機能を備えることとしてもよい。この出力調整機能は、ＡＷＧなどにより波長多重されたレーザ光の波長数に応じて動作する構成とすることができる。光増幅手段として典型的にはファイバ型光アンプを用いることができる。この場合、シングルモードファイバ（ＳＭＦ）型のファイバアンプに限らず、マルチモードファイバアンプを用いることもできる。光増幅手段に、さらに出力パワー調整機能を持たせることもできる。
【００６４】
コリメート手段２２０は光アンテナあるいは望遠鏡を備える。コリメート手段２２０は波長多重された信号光をコリメートし、空間光受信装置２１００に向けて送信側レーザ光２０１を自由空間に送出する。さらに、空間光受信装置２１００を追尾する機能を備えることとしてもよい。
【００６５】
ここで、本実施形態の空間光送信装置２２００が備えるコリメート手段２２０は、単一の光軸からなる光学系で構成されている。一方、大気の擾乱による影響に対する解決手段として、複数の光ビームで送信を行う空間ダイバーシティ技術が特許文献２に記載されている。空間ダイバーシティ技術によれば、複数のビーム間隔を空間のコヒーレント長以上に離すことによって、波面の乱れを緩和することが可能である。しかし、ビーム間距離を確保するために、複数のコリメート手段が必要となる。そのため、空間光送信装置の総重量または総体積が増大する、という問題があった。
【００６６】
それに対して、本実施形態の空間光送信装置２２００は波長ダイバーシティ技術を採用し、単一のコリメート手段２２０によって複数の波長の直交する信号光を送出することができる。そのため、空間光送信装置の体積や重量を削減できる効果がある。これは、空間光送信装置を航空機や人工衛星に搭載するために重量や消費電力に対する著しく厳しい制約が存在する場合に、大きな効果がある。
【００６７】
コリメート手段２２０から送出される送信側レーザ光２０１の波面は、合波手段２１２が備える光増幅手段との関係では、平面波でかつ波長多重した全ての信号光の波面が同じ波面を共有する構成とすることができる。
【００６８】
また、単一の光学系から出射される送信側レーザ光２０１を波長多重し、信号光の波面を異ならせることによって、空間ダイバーシティによる効果を持たせることとしてもよい。
【００６９】
この場合の送信側レーザ光２０１の例を図４Ａ、４Ｂを用いて説明する。
【００７０】
図４Ａに示したように、コリメート手段２２０における出射点が共通であっても平面波の傾きが波長間（λ１、λ２）で異なる場合には、送信側レーザ光は波長毎に異なる角度で空間を伝搬する。その結果、空間光送信装置から波長毎にわずかに異なる角度で二個の送信側レーザ光が出射される。ここで、波長毎のビーム中心のズレ角はビーム広がり角よりも狭く、双方の波長の信号光が同時に空間光受信装置の集光手段１１０に十分な強度で入射する構成としている。このとき、２種の波長（λ１、λ２）の信号光は大気伝搬する領域が異なるため、それぞれの波面は異なる大気の擾乱１００１を通過する。そのため、受信側レーザ光１０１は波長毎に異なる波面の乱れを受けているので、受信側では異なる伝搬モードが励起される。
【００７１】
また、図４Ｂに示すように、単一の光学系からなるコリメート手段２２０において、送信側レーザ光が波長毎に異なる広がり角を有する構成とした場合であっても、同様の効果が期待できる。これは、ビーム広がり角が異なれば、波長毎に異なる擾乱１００１を有する空間を通過するからである。
【００７２】
本実施形態の空間光送信装置２２００においては、ビーム出射方向のズレ角や広がり角の差が、大気の擾乱の影響が最も顕著に表れる空間の領域において、コヒーレント長と等しいかそれ以上の距離を確保できるように、コリメート手段２２０が構成されている。
【００７３】
上述した波長毎に出射角や広がり角を変化させた光ビームを送出するために、コリメート手段２２０が回折格子を備えた構成とすることができる。これに限らず、送信側マルチモード伝送媒体としてのマルチモードファイバ（ＭＭＦ）を備えた構成としてもよい。モード多重技術を用いて波長毎に異なるモードでマルチモードファイバ（ＭＭＦ）に結合し、コリメート手段２２０から送信側レーザ光を送出する。これによって、各モードに対応して異なる波面を有する送信側レーザ光が出射される。それぞれの波長の送信側レーザ光はそれぞれの波面の法線方向に進行するので、送信側レーザ光を波長毎に異なる角度で出射させることが可能である。ビーム出射角度は、モード次数やコリメート手段２２０の口径を調節することにより制御することができる。また、軌道角運動量（Ｏｒｂｉｔａｌ  Ａｎｇｕｌａｒ  Ｍｏｍｅｎｔｕｍ：ＯＡＭ）多重技術を用いることによって、広がり角を制御することも可能である。
【００７４】
本実施形態の空間光受信装置２１００が備えるマルチモード伝送媒体１２１は、複数の固有伝搬モードを有する光導波路媒体であり、典型的にはマルチモードファイバ（ＭＭＦ）である。以下に、マルチモード伝送媒体１２１を備えた構成としたことによる、シングルモードファイバ（ＳＭＦ）との結合効率の改善効果について説明する。
【００７５】
図３に示した本実施形態の空間光受信装置２１００において、空間伝送路を伝搬した受信側レーザ光１０１は、集光手段１１０によってマルチモード伝送媒体１２１としてのマルチモードファイバ（ＭＭＦ）の端面に集光される。受信側レーザ光１０１は、空間を伝搬中に大気の擾乱によって乱れた波面となっている。そのため、マルチモードファイバ（ＭＭＦ）の端面において理想的なビームスポットとはならず、スペックルパターンを形成する。このとき、受信側レーザ光１０１をそのままコア面積が小さいシングルモードファイバ（ＳＭＦ）に結合すると、結合効率の著しい劣化が発生するため安定な空間光通信（ＦＳＯ）を行うことが困難である。
【００７６】
しかしながら、本実施形態の空間光受信装置２１００においては、受信側レーザ光１０１をマルチモード伝送媒体１２１に結合する構成としている。コア面積が大きいマルチモード伝送媒体１２１を用いることによって、スペックルパターンにより拡散したビームスポットであっても良好なファイバ結合が可能であり、受光手段１４０に信号光を伝搬させることができる。
【００７７】
マルチモード伝送媒体１２１に結合した受信側レーザ光１０１は、受信側レーザ光１０１の波面と、マルチモード伝送媒体１２１のコア面の照射位置によって、異なる固有モードが励起される。そのため、受信側レーザ光１０１はマルチモード伝送媒体１２１内をモード多重状態で伝搬する。このように、波長ダイバーシティ方式による波長多重され大気の異なる部分を伝搬した信号光が、マルチモード伝送媒体１２１の端面の異なる位置に入射することにより、モードダイバーシティ方式に対応付けられる。
【００７８】
本実施形態の空間光受信装置２１００が備えるレーザ光分離手段１２２は、モード分離手段および波長分離手段を有する。モード分離手段と波長分離手段の実施順序は可換である。
【００７９】
波長分離手段は、波長多重された信号光をそれぞれの波長に分離する。ＡＷＧや干渉膜フィルタなどを用いることにより実施することができる。
【００８０】
モード分離手段は、マルチモード伝送媒体１２１を伝搬するモード多重された信号光を固有モードに分離し、それぞれをシングルモードファイバ（ＳＭＦ）に結合する。モード分離手段は、例えば、波長板の組み合わせとシングルモードファイバ（ＳＭＦ）結合によるモードフィルタによって実現することができる。また、導波路間の結合を利用したフィルタを用いることによっても、モード分離手段を実施することができる。
【００８１】
モード分離手段を介して単一モード伝送媒体１３０としてのシングルモードファイバ（ＳＭＦ）に受信した信号光を結合することにより、シングルモードファイバ（ＳＭＦ）を用いたコヒーレント受信技術を利用することが可能になる。その結果、高ビットレート化と高感度受信を達成することができる。このとき、適切な技術を用いて波長分離手段とモード分離手段を組み合わせることにより、原理的に無損失なレーザ光分離手段１２２を構成することができる。
【００８２】
上述したモード分離手段について、さらに詳細に説明する。
【００８３】
特許文献１に記載されたバンドルファイバへの結合においては、個々のファイバのクラッド部分に照射される光エネルギーは損失となる。コアの面積に比べてクラッドの面積は相対的に大きいため、高効率なファイバ結合は困難である。
【００８４】
また、特許文献２に記載された、断熱テーパーを用いてマルチモードからシングルモードに変換する構成において、断熱テーパー部分にはマルチモードのうちの高次モードを低次モードに変換する機能が無い。そのため、基本モード成分だけがシングルモードファイバ（ＳＭＦ）に結合される。マルチモードファイバ（ＭＭＦ）部で励起された高次モード成分は、テーパー部分を通過する過程で放射され損失となるため、高効率なファイバ結合は困難である。
【００８５】
それに対して、本実施形態の空間光受信装置２１００はマルチモード伝送媒体１２１とレーザ光分離手段１２２を備えた構成としている。マルチモード伝送媒体１２１におけるマルチモードファイバ（ＭＭＦ）結合と、レーザ光分離手段１２２が備えるモード分離手段によって、マルチモードファイバ（ＭＭＦ）に励起された全てのモードをシングルモードに変化させることができる。そのため、本実施形態の空間光受信装置２１００によれば、高効率なファイバ結合を実現することができる。
【００８６】
受光手段１４０は、単一モード伝送媒体１３０としてのシングルモードファイバ（ＳＭＦ）からの入力を受け付ける高ビットレートの光受信手段を備え、受信した信号光を光電変換する。特に、高い伝送レートで高感度な信号受信が可能な、デジタルコヒーレント技術を用いたコヒーレント受信器を用いることとしてもよい。
【００８７】
信号処理手段１５０は、受光手段１４０で受信した波長およびモード毎の受信信号から、空間伝搬した受信信号の合成処理を行う。
【００８８】
シンチレーションにより、マルチモード伝送媒体１２１を伝搬する信号光のモードは時間的に変動する。そのモード変動に応じて、複数の受光手段１４０に入力される各シングルモード光の強度も変動するので、出力される受信信号の品質も変動する。信号処理手段１５０は、このモード間の強度変動を補償し、送信装置が送信した信号を再生する。
【００８９】
なお、信号処理手段１５０は、受信信号間に発生するスキューをあわせて補償する構成としてもよい。このときのスキューには、マルチモード伝送媒体１２１のモード分散に起因するもの、およびレーザ光分離手段１２２以降のファイバ長や配線長に起因するものなどがある。さらに、レーザ光分離手段１２２におけるモード混合やモードクロストークもあわせて補償する構成とすることができる。
【００９０】
信号処理手段１５０は、Ａ／Ｄ（Ａｎａｌｏｇ−ｔｏ−Ｄｉｇｉｔａｌ）コンバータおよびデジタル信号処理技術を適用することにより構成することができる。
【００９１】
上述した構成とすることにより、本実施形態の空間光受信装置２１００によれば、受信光とシングルモードファイバとの結合効率の劣化を回避し、伝送レートの高速化を図ることができる。
【００９２】
次に、本実施形態による空間光通信システム２０００の動作について説明する。
【００９３】
図５に、本実施形態の空間光受信装置２１００を用いて、波面の乱れを受けた単一の波長の信号光を受光しモード分離した後の、モード毎のパワーの変化を模式的に示す。縦軸は概念的なモードを表し、下側が低次モード、上側が高次モードである。横軸は時間であり、各曲線は各モードの時間変化を示している。
【００９４】
図５では、時刻ｔ＝４からｔ＝６にかけて、最大パワーを有するモードが低次側から４番目のモードから２番目のモードにシフトしている。これは、シンチレーションにより、マルチモード伝送媒体１２１への受信光の入射状態が変化することによって、マルチモード伝送媒体１２１において励起されるモードが変化するからである。なお、信号光のトータルパワーは一定であるとした。
【００９５】
この最大パワーの切り替わり時における、信号処理手段１５０の動作を、図６に模式的に示す。図５の４番目のモードを含むモード群１と、２番目のモードを含むモード群２からなり、それぞれ、複数のモードの重ね合わせとして示している。図５に示したモード間におけるパワーのシフトにより、図６の第１段目と第２段目に示すように、各モードのパワーが切り替わる。
【００９６】
モードのパワーの切り替わりに際して、信号処理手段（Ｄｉｇｉｔａｌ  Ｓｉｇｎａｌ  Ｐｒｏｃｅｓｓｉｎｇ：ＤＳＰ）は信号の合成を行うためのアルゴリズムを切り替える必要がある。このアルゴリズムの切り替えのタイミングを、図５の第３段目に示す。アルゴリズム切り替え前後における信号処理手段（ＤＳＰ）の信号合成動作を、同図の第４段目に示す。アルゴリズムの切り替えに伴い、信号処理手段（ＤＳＰ）はトレーニングを行う必要があるため、トレーニングが終了するまでの時間は正常な信号の合成処理は困難である。その結果、同図の第５段目に示すように、信号処理手段（ＤＳＰ）の出力信号に、信号断が発生する。
【００９７】
この信号断の時間が、モード変化の周期に比べて十分に短ければ、その影響は無視できる。それに対して、大気の擾乱が強く、信号断の時間が無視できない程度に頻度が増大すると、空間光通信（ＦＳＯ）のスループットが急激に悪化する。
【００９８】
それに対して、本実施形態の空間光受信装置２１００により波長ダイバーシティを適用した場合の動作について説明する。図７は、波長ダイバーシティを適用した場合における、本実施形態の空間光受信装置２１００が備えるマルチモード伝送媒体１２１の端面に入射する信号光の波面の状態を説明するための概念図である。
【００９９】
大気の擾乱１００１により送信側レーザ光２０１の波面が乱されても、大気の屈折率の波長分散は極めて小さい。そのため、異なる波長の受信側レーザ光１０１であっても同じ入射角θでマルチモード伝送媒体１２１の端面に照射される。その結果、同じ位置に同じ形状のビームスポットが形成される。
【０１００】
それに対して、例えば、波長が異なる二つの送信側レーザ光２０１が異なる出射角で送出される場合には、波長に対応した二つの経路（マルチパス）から入射した受信側レーザ光１０１の波面は、マルチモード伝送媒体１２１の端面で干渉縞を形成する。この干渉縞の間隔Ｄは、波長をλとすると、Ｄ＝λ／ｓｉｎ（θ）となる。そのため、受信側レーザ光１０１の波長によって、マルチモード伝送媒体１２１の端面に形成されるビームスポットの位置が異なることになる。
【０１０１】
ここで、マルチモード伝送媒体１２１の端面への受信側レーザ光１０１の入射位置と入射角に依存して、マルチモード伝送媒体１２１に励起されるモードが決定される。そのため、受信側レーザ光１０１の波長が異なれば、異なるモードが励起されることになる。さらに、マルチモード伝送媒体１２１を伝搬するモードが示す腹と節の周期は、一般に高次モードほど短周期になる。このようなマルチモード伝送媒体の伝搬特性を利用することによって、波長ダイバーシティをモード間の相関が低いモードダイバーシティに対応付けることができる。その結果、信号処理手段１５０における信号断が発生するタイミングを、時間軸上で拡散することができるので、信号断の頻度を低下させることができる。
【０１０２】
以上の動作により、本実施形態の空間光受信装置２１００によれば、大気の擾乱の影響を緩和し、伝送信号のビットレートの高速化と高効率なファイバ結合の両立を図ることができる。その結果、大容量の空間光通信（ＦＳＯ）を実現することができる。
【０１０３】
次に、信号処理手段１５０における信号処理について説明する。
【０１０４】
図８に、比較例として、波長毎に単純に並列化して信号処理を行う構成とした関連する空間光受信装置の構成を示す。信号処理は、波長毎にデジタルシグナルプロセッサ３５１を用いて信号再生を行い、再生した信号を論理和回路３５２によって波長間で重ね合わせる構成としている。この構成により、欠損部を補完することができる。
【０１０５】
ここで、大気の擾乱１００１によるシンチレーションによって発生する信号の劣化をノイズＮＳＣとし、図７を用いて説明したように波長間では無相関化されると仮定する。この場合、シンチレーションによるノイズは、波長ダイバーシティに用いる波長数を「ｗ」とすると、論理和回路３５２による合成により、シンチレーションによるノイズはＮＳＣ／ｗ１／２となる。
【０１０６】
ここで、空間光送信装置の出力パワーが送信ブースターアンプの飽和出力Ｐで制限されていると仮定すると、各波長当たりの信号光パワーはＰ／ｗとなる。信号は論理和回路３５２では加算されないため、出力信号のＳ／Ｎ比は、Ｐ／（ＮＳＣ・ｗ１／２）となる。したがって、波長数ｗの増加に従ってＳ／Ｎ比が劣化することになる。
【０１０７】
それに対して、本実施形態の空間光受信装置２１００においては、図９に示すように、等価的に単一の信号処理手段１５０に全ての受信信号を入力し、信号処理手段１５０において信号の合成処理を行う構成としている。これにより、複数の波長の受信側レーザ光１０１の信号光パワーが加算されるので、信号処理手段１５０の出力信号のＳ／Ｎ比は、Ｐ／（ＮＳＣ／ｗ１／２）＝（Ｐ／ＮＳＣ）×ｗ１／２となる。したがって、本実施形態の空間光受信装置２１００によれば、波長数ｗの増加に従ってＳ／Ｎ比を改善することができる。
【０１０８】
〔第３の実施形態〕
次に、本発明の第３の実施形態について説明する。図１０に、本発明の第３の実施形態に係る空間光受信装置３１００の構成を示す。
【０１０９】
本実施形態による空間光受信装置３１００は、集光手段１１０、励起モード制御手段１２０、複数の単一モード伝送媒体１３０、および複数の受光手段１４０を有する。
【０１１０】
本実施形態の空間光受信装置３１００が備える励起モード制御手段１２０は、マルチモード伝送媒体１２１、レーザ光分離手段１２２、およびマルチモード伝送媒体１２１の前段に波長分散手段１２３を備えた構成とした。ここで波長分散手段１２３は、集光手段１１０が集光した受信側レーザ光１０１を入力し、受信側レーザ光を波長毎に分岐し、波長毎にマルチモード伝送媒体１２１の端面の異なる位置に出力する。
【０１１１】
本実施形態の空間光受信装置３１００においては、波長分散手段１２３を挿入したことにより、弱い波面の乱れに対しても効果的に波長ダイバーシティを異なるモードに変換することができる。その結果、空間光通信（ＦＳＯ）における大気の擾乱の影響を緩和し、伝送信号のビットレートの高速化と高効率なファイバ結合の両立を図ることができ、大容量な空間光通信（ＦＳＯ）が可能となる。
【０１１２】
次に、図１１を用いて波長分散手段１２３の動作について説明する。
【０１１３】
波長多重された信号光は大気を伝搬した後に、集光手段１１０を通過しマルチモード伝送媒体１２１の端面に集光される。ここでマルチモード伝送媒体１２１の前段に、波長分散手段１２３が配置されている。波長分散手段１２３は入射した信号光を波長分離し、波長毎に異なる角度でマルチモード伝送媒体１２１の端面に向けて照射する。
【０１１４】
このような構成としたことにより本実施形態の空間光受信装置３１００によれば、入射した信号光の波面の乱れが小さい場合であっても、波長毎にマルチモード伝送媒体１２１の端面における集光スポットの位置を変えることができる。そのため、波長ダイバーシティの効果を確実に得ることができる。
【０１１５】
波長分散手段１２３は、プリズム、回折格子、導波路素子、非対称なチャープドファイバブラッググレーティング素子などの波面制御素子を用いることによって構成することができる。ここで、回折格子には、回折格子と音響光学素子との組み合わせや空間変調素子が含まれる。空間変調素子として、ＤＦＭ（Ｄｅｆｏｒｍａｂｌｅ  Ｍｉｒｒｏｒ）、ＬＣｏＳ（Ｌｉｑｕｉｄ  Ｃｒｙｓｔａｌ  ｏｎ  Ｓｉｌｉｃｏｎ）などを用いることができる。また、導波路素子として、多モード干渉導波路（Ｍｕｌｔｉ  Ｍｏｄｅ  Ｉｎｔｅｒｆｅｒｅｎｃｅ：ＭＩＭＩ）素子やアレイ導波路回折格子（Ａｒｒａｙｅｄ  Ｗａｖｅｇｕｉｄｅ  Ｇｒａｔｉｎｇ：ＡＷＧ）などを用いることができる。
【０１１６】
また、図１２に示すように、波長分散手段１２３に制御部１２４を設けた構成とすることができる。この場合、波長分散手段１２３の波長毎の分岐量を可変できるように構成し、制御部１２４からの制御信号で波長毎の分岐量を可変することによって、波長ダイバーシティ効果を制御することが可能になる。
【０１１７】
このような構成とすることにより、受信側レーザ光１０１の波面の乱れの程度に応じて空間光送信装置から出射する波長数を可変とし、マルチモード伝送媒体１２１の端面における受信した信号光の照射位置を波長毎に適宜分岐させることができる。それにより、ダイバーシティ効果を確実にすることが可能である。ここで、波長毎の分岐量は、全ての波長に対して集光スポットの位置がマルチモード伝送媒体１２１の端面のコア面内に十分に入るように設定する。
【０１１８】
具体的には例えば、大気擾乱が強いとき、すなわち、シンチレーションによって発生するノイズＮＳＣが大きい場合、空間光送信装置からの送信波長数ｗを増やすことができる。このとき、波長分散手段１２３における分岐量を小さくし、全ての波長の信号光がマルチモード伝送媒体１２１のコア面内に均等に配置するように、あらかじめ定められた手法により制御する。例えば、使用する全ての波長の信号光のビームスポットの中心位置、すなわち平均的な分布の重心が、マルチモード伝送媒体１２１の端面のコア内に均等に配置するように制御することができる。また、ビームスポットがコアの中心からコア辺縁部へ向かって、あらかじめ定められた間隔で配置するように制御してもよい。
【０１１９】
〔第４の実施形態〕
次に、本発明の第４の実施形態について説明する。図１３に、本発明の第４の実施形態に係る空間光通信システム４０００の構成を示す。空間光通信システム４０００は空間光受信装置４１００と空間光送信装置４２００とを有し、その間の自由空間の伝送路を介して信号光を伝搬させる。
【０１２０】
空間光送信装置４２００は、波長多重レーザ光送出手段２１０およびコリメート手段２２０を備える。波長多重レーザ光送出手段２１０は、複数のレーザ送信手段２１１、合波手段２１２、信号源２１３、および送信側遅延手段２１４を備える。
【０１２１】
レーザ送信手段２１１は、波長の異なるレーザ光をそれぞれ送出する。合波手段２１２は、複数のレーザ送信手段２１１が送出するレーザ光を合波する。信号源２１３は、レーザ光によって送信するデータ信号を生成する。そして、送信側遅延手段２１４は、信号源２１３から入力したデータ信号に、波長毎に異なる所定の遅延量を与えてレーザ送信手段２１１に送出する。この遅延量は外部からの制御信号に従って可変する構成としてもよい。
【０１２２】
このような構成により、本実施形態の空間光送信装置４２００によれば、搬送波レーザ光を変調するデータ信号に、送信するレーザ光の波長に応じて時間差を設けた時間ダイバーシティを実現することができる。なお、合波手段２１２およびコリメート手段２２０の構成は、第２の実施形態による空間光送信装置２２００におけるものと同様であるので、それらの説明は省略する。
【０１２３】
空間光受信装置４１００は、集光手段１１０、マルチモード伝送媒体１２１、レーザ光分離手段１２２、複数の単一モード伝送媒体を介して受光する複数の受光手段１４０、および信号処理手段を有する。
【０１２４】
本実施形態においては、信号処理手段は第１の信号処理手段４５１、第２の信号処理手段４５２、および受信側遅延手段４５３を備えた構成とした。第１の信号処理手段４５１は、複数の受光手段１４０が出力する複数の受信信号に対して、波長が同一である受信信号毎に信号処理を施して、波長毎に第１の処理信号を出力する。受信側遅延手段４５３は、第１の処理信号に、波長毎に異なる遅延量を与えた第２の処理信号を出力する。そして、第２の信号処理手段４５２は、第２の処理信号に信号処理を施し、第２の処理信号を合成した出力信号を出力する。
【０１２５】
なお、信号処理手段および後述する第１のセレクタ手段４６１、第２のセレクタ手段４６２以外の構成は、第２の実施形態による空間光受信装置２１００におけるものと同様であるので、それらの説明は省略する。
【０１２６】
上述したように、本実施形態による空間光受信装置４１００は、信号処理手段を第１の信号処理手段４５１および第２の信号処理手段４５２の２段階に分離した構成とした。すなわち、第１の信号処理手段（ＤＳＰ１）４５１は、レーザ光分離手段１２２で波長およびモード毎に分離した信号光に対して、同一の波長毎に信号処理の前処理を行う。その後に、受信側遅延手段４５３が波長毎にあらかじめ決められた遅延時間を付加する。そして最後に、第２の信号処理手段４５２が全ての波長を一括した信号処理を行う。
【０１２７】
このような二段階の信号処理手段を用いることにより、以下に示すように、信号処理手段の回路規模を削減することができる。単一の信号処理手段においては、理論的には波長数ｗとモード数ｍの積の自乗（ｍｗ）２の回路規模が必要となる。それに対して、本実施形態による信号処理手段の構成においては、波長数ｗとモード数ｍが２以上である場合、
ｍ２×ｗ＋ｗ２＝ｗ（ｍ２＋ｗ）＜（ｍｗ）２
となり、回路規模の縮小が可能である。
【０１２８】
また、受光手段１４０と第１の信号処理手段４５１との間に第１のセレクタ手段４６１を、第２の信号処理手段４５２の入力側に第２のセレクタ手段４６２を挿入した構成としてもよい。第１のセレクタ手段４６１および第２のセレクタ手段４６２は、受信信号の中から品質の良い信号を選択し、それぞれの信号処理手段に伝達する。信号の品質として、信号の強度または信号のＳ／Ｎ比を用いることができる。第１のセレクタ手段４６１および第２のセレクタ手段４６２を備えることにより、信号処理手段の回路規模をさらに縮小することができる。
【０１２９】
〔第５の実施形態〕
次に、本発明の第５の実施形態について説明する。図１４に、本発明の第５の実施形態に係る空間光通信システム５０００の構成を示す。空間光通信システム５０００は空間光受信装置５１００と空間光送信装置５２００とを有し、その間の自由空間の伝送路を介して信号光を伝搬させる。
【０１３０】
空間光送信装置５２００は、波長多重レーザ光送出手段５１０およびコリメート手段２２０を備える。波長多重レーザ光送出手段５１０は、複数のレーザ光源５１１、合波手段５１２、信号源５１３、および変調手段５１４を備える。
【０１３１】
レーザ光源５１１は、波長の異なる搬送波レーザ光をそれぞれ送出する。合波手段５１２は、複数のレーザ光源５１１がそれぞれ送出する搬送波レーザ光を合波して波長多重搬送波レーザ光を送出する。信号源５１３は送信するデータ信号を生成する。そして、変調手段５１４は波長多重搬送波レーザ光を、データ信号を用いて変調する。
【０１３２】
また、コリメート手段２２０は、波長多重レーザ光の出射角を波長毎に異ならせた送信側レーザ光を、単一の光軸からなる光学系から空間伝送路に出射する。
【０１３３】
空間光受信装置５１００は、集光手段１１０、マルチモード伝送媒体１２１、レーザ光分離手段５２２、複数の単一モード伝送媒体を介して受光する複数の受光手段１４０、および信号処理手段５５０を有する。
【０１３４】
本実施形態の空間光受信装置５１００においては、レーザ光分離手段５２２はマルチモード伝送媒体１２１が送出する伝搬モード群を入力し、波長多重された状態で複数の伝搬モード光ごとに分離して出力する。そして、受光手段１４０は伝搬モード光を波長多重された状態で受光する。
【０１３５】
上述したように、本実施形態による空間光送信装置５２００は、信号源５１３で生成されたデータ信号を用いて、波長多重した搬送波レーザ光を一括して変調する構成としている。この場合、変調方式として強度変調方式を用いることができる。
【０１３６】
一方、空間光受信装置５１００においては、モード分離処理を行うだけで波長分離処理を行うことなく受光手段１４０で受信する構成としている。すなわち受光手段１４０は、モード分離された信号光を波長多重された状態のままで受信する。このような構成が可能なのは、空間光通信（ＦＳＯ）の伝送路では波長分散がほとんど発生しないからである。なお、波長ダイバーシティの効果を確実にするために、図１４に示すように、波長分散手段１２３をマルチモード伝送媒体１２１の前段に配置した構成としてもよい。
【０１３７】
信号処理手段５５０は、モード分離した信号から受信信号を合成する。信号処理手段５５０の前段にセレクタ５６０を配置し、品質の良い信号のみを選択する構成としてもよい。
また、信号処理手段５５０において、論理和の演算処理を用いることとしてもよい。
【０１３８】
このように、同一のデータ信号を用いて波長多重搬送波レーザ光を変調する構成としたことにより、部品数を削減した空間光送信装置によって波長ダイバーシティを有効に機能させることが可能である。
【０１３９】
〔第６の実施形態〕
次に、本発明の第６の実施形態について説明する。図１５に、本発明の第６の実施形態に係る空間光通信システム６０００の構成を示す。空間光通信システム６０００は空間光受信装置６１００と第５の実施形態による空間光送信装置５２００とを有し、その間の自由空間の伝送路を介して信号光を伝搬させる。
【０１４０】
空間光送信装置５２００は上述したように、信号源５１３で生成されたデータ信号を用いて、波長多重した搬送波レーザ光を一括して変調する構成としている。
【０１４１】
空間光受信装置６１００は、集光手段１１０、マルチモード伝送媒体１２１、レーザ光分離手段１２２、複数の単一モード伝送媒体を介して受光する複数の受光手段１４０、および信号処理手段を有する。
【０１４２】
本実施形態においては、信号処理手段は第１の信号処理手段６５１および第２の信号処理手段６５２を備えた構成とした。第１の信号処理手段６５１は、複数の受光手段１４０が出力する複数の受信信号に対して、伝搬モード光が同一である受信信号毎に信号処理を施して、伝搬モード光毎に処理信号を出力する。そして、第２の信号処理手段６５２は、これらの処理信号に信号処理を施し、処理信号を合成した出力信号を出力する。
【０１４３】
すなわち、空間光受信装置６１００においては、レーザ光分離手段１２２が信号光についてモード分離処理と波長分離処理を行い、信号処理手段を二段階に分離している。第１の信号処理手段６５１は、異なる波長で同一のモード毎に第一の信号処理を行う。続いて、全てのモードの受信信号を集めて、第２の信号処理手段６５２によって受信信号の合成処理を行う。
【０１４４】
自由空間およびマルチモード伝送媒体を含む伝送路全体において、波長分散は発生しない。一方、マルチモード伝送媒体を伝搬中にはモード分散が発生する。これらのことから、異なる波長であっても同一のモードであれば分散量は等しくなる。したがって、上述したように、まず第１の信号処理手段６５１によって同一のモード分散を受けた受信信号を一括して処理し、その後に第２の信号処理手段６５２によって、異なるモード分散を受けた受信信号を合成することにより出力信号を得ることができる。
【０１４５】
本実施形態の空間光受信装置６１００によれば、第４の実施形態と同様に、信号処理手段の回路規模を縮小することができる。
【０１４６】
また、受光手段１４０と第１の信号処理手段６５１との間に第１のセレクタ手段６６１を、第２の信号処理手段６５２の入力側に第２のセレクタ手段６６２を挿入した構成としてもよい。第１のセレクタ手段６６１および第２のセレクタ手段６６２は、受信信号の中から品質の良い信号を選択し、それぞれの信号処理手段に伝達する。第１のセレクタ手段６６１および第２のセレクタ手段６６２を備えることにより、信号処理手段の回路規模をさらに縮小することができる。
【０１４７】
なお、波長ダイバーシティの効果を確実にするために、図１５に示すように、波長分散手段１２３をマルチモード伝送媒体１２１の前段に配置した構成としてもよい。また、受光手段１４０にデジタルコヒーレント受信技術を用いることとしてもよい。
【０１４８】
上述したように、本実施形態による空間光通信システム６０００においては、異なる波長で伝送した信号光に対する受信信号を一括して、第１の信号処理手段６５１により信号処理を行う構成としている。このとき、波長毎に異なる光周波数の位相雑音が存在すると、第１の信号処理手段６５１は波長毎に位相同期処理回路を備える必要がある。
【０１４９】
この場合、各波長の位相雑音が揃っていれば位相同期回路の規模を削減することが可能である。そこで、図１６に示すように、空間光送信装置５２００が備える波長多重レーザ光送出手段５１０が、複数のレーザ光源５１１がそれぞれ送出する搬送波レーザ光の光位相を同期させる送信側光位相同期手段６１０を備えた構成とすることができる。また、空間光受信装置６１００が備える複数の受光手段１４０は、それぞれ局部発振光源を備え、局部発振光源がそれぞれ送出する局部発振光の光位相を同期させる受信側光位相同期手段６４０を備えた構成とすることができる。
【０１５０】
送信側光位相同期手段６１０および受信側光位相同期手段６４０を備えることにより、位相雑音の波長間の相対的な揺らぎを極めて小さく抑えることができる。そのため、第１の信号処理手段６５１においては、波長は異なっても同じ位相雑音として検出される。これにより、第１の信号処理手段６５１の回路規模を削減し、異なる波長の受信信号に対して一括して位相同期処理を行うことが可能になる。
【０１５１】
送信側光位相同期手段６１０および受信側光位相同期手段６４０には、光ＰＬＬ（Ｐｈａｓｅ  Ｌｏｃｋｅｄ  Ｌｏｏｐ）や光コム（Ｏｐｔｉｃａｌ  Ｃｏｍｂ）などを用いることができる。
【０１５２】
また、空間光送信装置５２００の送信側光位相同期手段６１０と空間光受信装置６１００の受信側光位相同期手段６４０との間で、光周波数同期を行うこととしてもよい。この場合、あらかじめ決められた光周波数同期用の波長を用いて、空間光送信装置５２００または空間光受信装置６１００のいずれか一方から他方へ同期信号を転送することとしてもよい。衛星光空間通信に用いる場合は、大きな伝送遅延が発生する。そこで、位相雑音を最小化するために、送信器側の同期用波長光を信号光と並行して伝送し、受信側の局発光源の同期に用いることが望ましい。
【０１５３】
また、光周波数同期を行うことに替えて、図１７に示すように、一つの第１の信号処理手段６５１で検出した位相オフセット情報を、他の複数の第１の信号処理手段６５１で共有することによって、信号処理手段の回路規模の削減を図ることができる。すなわち、第１の信号処理手段６５１のうち、一の波長に対応した検出用第１の信号処理手段が位相オフセット情報を検出し、位相オフセット情報を他の波長に対応した第１の信号処理手段６５１に送出する構成とすることができる。
【０１５４】
具体的には、一つの第１の信号処理手段６５１で検出した、ある波長の信号光の位相オフセットを、それ以外の複数の第１の信号処理手段６５１で共有し、全ての波長の位相雑音を共有する。位相オフセット情報の共有には、図１７に示すように、ハブ装置６７０を介して行うこととしてもよい。第１の信号処理手段６５１は、他の第１の信号処理手段６５１と共有した各波長の位相オフセットを、入力された各波長の信号に適用することによって位相雑音の補償処理を行う。
【０１５５】
このような構成とすることにより、全ての第１の信号処理手段６５１において個別に位相雑音を検出する処理を省略することができる。その結果、第１の信号処理手段６５１の回路規模を削減し、位相雑音の補償を実現することが可能となる。
【０１５６】
〔第７の実施形態〕
次に、本発明の第７の実施形態について説明する。図１８に、本発明の第７の実施形態に係る空間光受信装置７００の構成を示す。空間光受信装置７００は、集光手段１１０、波長分散手段１２３、マルチモード伝送媒体としての複数のマルチモードファイバ７２１、レーザ光分離手段１２２、および複数の単一モード伝送媒体１３０を有する。
【０１５７】
集光手段１１０は、空間伝送路を伝搬した波長多重された受信側レーザ光１０１を集光する。複数のマルチモードファイバ７２１は、それぞれの端面が受信側レーザ光の入力方向に対して異なる位置になるように配置している。そして波長分散手段１２３は、受信側レーザ光を波長毎に異なるマルチモードファイバ７２１の端面に出力する。
【０１５８】
マルチモードファイバ７２１は、複数の伝搬モード光を含む伝搬モード群を出力する。レーザ光分離手段１２２は、伝搬モード群を入力し、複数の伝搬モード光ごとに分離して出力する。そして単一モード伝送媒体１３０は、複数の伝搬モード光をそれぞれ導波する。
【０１５９】
このように、本実施形態による空間光受信装置７００は、波長分散手段１２３によって受信側レーザ光を波長分離し、波長毎に異なるマルチモードファイバ（ＭＭＦ）７２１に結合させる。
【０１６０】
ここで、波長分散手段１２３から出力される信号光ビームに対して、波長毎に対応するマルチモードファイバ（ＭＭＦ）７２１の位置を理想的に一致させた場合を考える。この場合には、大気の波長分散が無いために、それぞれの波長に対応した全てのマルチモードファイバ（ＭＭＦ）７２１の端面において、同じシンチレーションが発生する。そのため、波長ダイバーシティの効果は得られない。
【０１６１】
それに対して、本実施形態の空間光受信装置７００は、波長毎のマルチモードファイバ（ＭＭＦ）７２１の位置に異なるオフセットを与えることによって、マルチモードファイバ（ＭＭＦ）７２１のコア面における集光スポットの位置を変える構成としている。このように、マルチモードファイバ（ＭＭＦ）７２１の端面の面内方向にオフセットを与えると、マルチモードファイバ（ＭＭＦ）７２１のコア面における集光スポットの位置が変わる。そのため、異なるモードが励起されることになる。また、波長分散手段１２３からマルチモードファイバ（ＭＭＦ）７２１の端面までの光学長にオフセットを与えてデフォーカスすることにより、集光スポットのパタンが変化し異なるモードが励起される。なお、このオフセットは波長程度のオーダーであり、しかも固定値である。そのため、オフセットによる位相シフトにより後段における信号処理に与える影響は軽微である。
【０１６２】
以上述べたように、本実施形態の空間光受信装置７００によれば、波長ダイバーシティの効果によって、受信光とシングルモードファイバとの結合効率の劣化が通信特性に及ぼす影響を緩和し、伝送レートの高速化を図ることができる。
【０１６３】
上述した各実施形態における波長ダイバーシティを用いた空間光通信システムにおいて、送信波長の個数など送信リソースを可変制御することが可能である。具体的には、波面の乱れの大きさに応じて、単一の信号源から波長ダイバーシティに用いる波長数や、空間ダイバーシティを用いる場合における広がり角やビームのズレ角、および出力光の強度を可変制御することができる。また、第４の実施形態の空間光送信装置における時間ダイバーシティでの遅延量を可変制御することとしてもよい。このような構成とすることにより、送信側の電力等のリソースが限られる衛星や航空機において、波面乱れが少ない伝送路条件の場合には、リソース消費を抑制する効果が得られる。
【０１６４】
なお、リソースを制御するために、受信側で検出される光信号のＳ／Ｎ比やエラーレートから送信側にフィードバック制御することとしてもよい。フィードバックには、対応する空間光通信（ＦＳＯ）や無線回線を用いることができる。また、送信器側で大気状態をモニタして波面乱れを予測し、オープンループでリソースを制御することとしてもよい。大気状態のモニタには、送信した信号光のミー散乱（後方散乱）や気象情報などを用いることができる。
【０１６５】
あるいは、異なる衛星や航空機からの空間光通信（ＦＳＯ）で得られたリソース情報を利用することもできる。これは以下の理由による。すなわち、波面の乱れは大気下層における影響が強いので受信局の近傍で発生することが多い。そのため、複数の空間光通信（ＦＳＯ）機器との接続切替がある場合であっても、大気の状態の時定数に比べて切替の時間が十分に短ければ、同等の波面乱れの大きさを受けると仮定できるからである。このような手段を用いることにより、送信リソースの制御を簡略化することができる。
【０１６６】
また、送信リソースの増減に対応して、合波手段に含まれる光増幅手段の強度を制御することとしてもよい。このとき、波長数や波長の組み合わせに応じて、あらかじめ定められた設定により出力光強度を調整する。このように制御することによって、光増幅手段において発生する非線形効果を抑制し、安定な空間光通信（ＦＳＯ）を実現することができる。
【０１６７】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【０１６８】
この出願は、２０１４年９月２５日に出願された日本出願特願２０１４−１９５３０５を基礎とする優先権を主張し、その開示の全てをここに取り込む。
【０１６９】
上記の実施形態の一部又は全部は、以下の付記のようにも記載されうるが、以下には限られない。
【０１７０】
（付記１）空間伝送路を伝搬した波長多重された受信側レーザ光を集光する集光手段と、  前記集光手段が集光した前記受信側レーザ光を入力し、波長毎に励起状態が異なる、複数の伝搬モード光を含む伝搬モード群を生成し、前記複数の伝搬モード光ごとに分離して出力する励起モード制御手段と、前記複数の伝搬モード光をそれぞれ導波する複数の単一モード伝送媒体と、前記複数の単一モード伝送媒体を介して前記複数の伝搬モード光をそれぞれ受光する複数の受光手段、とを有する空間光受信装置。
【０１７１】
（付記２）前記励起モード制御手段は、前記受信側レーザ光を波長毎に異なる入射状態で入力し、前記伝搬モード群を出力するマルチモード伝送媒体と、前記伝搬モード群を入力し、前記複数の伝搬モード光ごとに分離して出力するレーザ光分離手段、とを備える付記１に記載した空間光受信装置。
【０１７２】
（付記３）前記励起モード制御手段は、前記マルチモード伝送媒体の前段に波長分散手段を備え、前記波長分散手段は、前記受信側レーザ光を入力し、前記マルチモード伝送媒体に励起する伝搬モードを制御する付記２に記載した空間光受信装置。
【０１７３】
（付記４）前記波長分散手段は、前記受信側レーザ光を入力し、前記受信側レーザ光を波長毎に分岐し、前記波長毎に前記マルチモード伝送媒体の端面の異なる位置に出力する  付記３に記載した空間光受信装置。
【０１７４】
（付記５）空間光送信装置と空間光受信装置を有し、前記空間光送信装置は、波長の異なる複数のレーザ光を多重した波長多重レーザ光を送出する波長多重レーザ光送出手段と、前記波長多重レーザ光の出射角を波長毎に異ならせた送信側レーザ光を、単一の光軸からなる光学系から空間伝送路に出射するコリメート手段、とを備え、前記空間光受信装置は、前記送信側レーザ光が前記空間伝送路を伝搬した後の受信側レーザ光を集光する集光手段と、前記集光手段が集光した前記受信側レーザ光を入力し、波長毎に励起状態が異なる、複数の伝搬モード光を含む伝搬モード群を生成し、前記複数の伝搬モード光ごとに分離して出力する励起モード制御手段と、前記複数の伝搬モード光をそれぞれ導波する複数の単一モード伝送媒体と、前記複数の単一モード伝送媒体を介して前記複数の伝搬モード光をそれぞれ受光する複数の受光手段、とを有する空間光通信システム。
【０１７５】
（付記６）前記空間光受信装置は、前記複数の受光手段が出力する複数の受信信号に信号処理を施し、前記複数の受信信号を合成した出力信号を出力する信号処理手段をさらに有し、前記コリメート手段は、前記波長多重レーザ光を波長毎に異なる角度で出射させる送信側マルチモード伝送媒体を備え、前記励起モード制御手段は、前記受信側レーザ光を波長毎に異なる入射状態で入力し、前記伝搬モード群を出力するマルチモード伝送媒体と、  前記伝搬モード群を入力し、前記複数の伝搬モード光ごとに分離して出力するレーザ光分離手段、とを備える付記５に記載した空間光通信システム。
【０１７６】
（付記７）前記波長多重レーザ光送出手段は、波長の異なるレーザ光をそれぞれ送出する複数のレーザ送信手段と、前記複数のレーザ送信手段が送出する前記レーザ光を合波する合波手段と、前記レーザ光によって送信するデータ信号を生成する信号源と、前記信号源から入力した前記データ信号に、前記波長毎に異なる所定の遅延量を与えて前記レーザ送信手段に送出する送信側遅延手段、とを備え、前記信号処理手段は、第１の信号処理手段と、受信側遅延手段と、第２の信号処理手段とを含み、前記第１の信号処理手段は、前記複数の受光手段が出力する複数の受信信号に対して、前記波長が同一である前記受信信号毎に信号処理を施して、前記波長毎に第１の処理信号を出力し、前記受信側遅延手段は、前記第１の処理信号に、前記波長毎に異なる前記遅延量を与えた第２の処理信号を出力し、    前記第２の信号処理手段は、前記第２の処理信号に信号処理を施し、前記第２の処理信号を合成した出力信号を出力する付記６に記載した空間光通信システム。
【０１７７】
（付記８）前記波長多重レーザ光送出手段は、波長の異なる搬送波レーザ光をそれぞれ送出する複数のレーザ光源と、前記複数のレーザ光源がそれぞれ送出する前記搬送波レーザ光を合波して波長多重搬送波レーザ光を送出する合波手段と、送信するデータ信号を生成する信号源と、前記波長多重搬送波レーザ光を、前記データ信号を用いて変調した波長多重レーザ光を送出する変調手段、とを備え、前記信号処理手段は、第１の信号処理手段と第２の信号処理手段を含み、前記第１の信号処理手段は、前記複数の受光手段が出力する複数の受信信号に対して、前記伝搬モード光が同一である前記受信信号毎に信号処理を施して、前記伝搬モード光毎に処理信号を出力し、前記第２の信号処理手段は、前記処理信号に信号処理を施し、前記処理信号を合成した出力信号を出力する付記６に記載した空間光通信システム。
【０１７８】
（付記９）前記第１の信号処理手段のうち、一の波長に対応した検出用第１の信号処理手段が位相オフセット情報を検出し、前記位相オフセット情報を他の波長に対応した前記第１の信号処理手段に送出する付記８に記載した空間光通信システム。
【０１７９】
（付記１０）波長の異なる複数のレーザ光を多重した波長多重レーザ光を送出し、前記波長多重レーザ光を単一の光軸からなる光学系に導入し、前記光学系から送信側レーザ光を空間伝送路に出射し、前記送信側レーザ光が前記空間伝送路を伝搬した後の受信側レーザ光を集光し、集光した前記受信側レーザ光から、波長毎に励起状態が異なる、複数の伝搬モード光を含む伝搬モード群を生成し、前記複数の伝搬モード光ごとに分離し、前記複数の伝搬モード光を複数の単一モード伝送媒体にそれぞれ導入し、前記複数の単一モード伝送媒体を導波した前記複数の伝搬モード光をそれぞれ受光する空間光通信方法。
【０１８０】
（付記１１）前記波長多重レーザ光送出手段は、波長の異なる搬送波レーザ光をそれぞれ送出する複数のレーザ光源と、前記複数のレーザ光源がそれぞれ送出する前記搬送波レーザ光を合波して波長多重搬送波レーザ光を送出する合波手段と、送信するデータ信号を生成する信号源と、前記波長多重搬送波レーザ光を、前記データ信号を用いて変調した波長多重レーザ光を送出する変調手段、とを備え、前記レーザ光分離手段は、前記伝搬モード群を入力し、波長多重された状態で前記複数の伝搬モード光ごとに分離して出力し、前記受光手段は、前記伝搬モード光を波長多重された状態で受光する付記６に記載した空間光通信システム。
【０１８１】
（付記１２）前記波長多重レーザ光送出手段は、前記複数のレーザ光源がそれぞれ送出する前記搬送波レーザ光の光位相を同期させる送信側光位相同期手段を備え、前記複数の受光手段は、それぞれ局部発振光源を備え、前記局部発振光源がそれぞれ送出する局部発振光の光位相を同期させる受信側光位相同期手段を備える付記８に記載した空間光通信システム。
【０１８２】
（付記１３）前記信号処理手段は、前記受光手段が出力する前記受信信号から高品質な受信信号を選択して前記第１の信号処理手段に出力する第１のセレクタ手段と、前記第１の信号処理手段が出力する信号から高品質な信号を選択して前記第２の信号処理手段に出力する第２のセレクタ手段、とをさらに備える付記７または８に記載した空間光通信システム。
【０１８３】
（付記１４）前記マルチモード伝送媒体は、複数のマルチモードファイバを含み、前記複数のマルチモードファイバは、それぞれの端面が前記受信側レーザ光の入力方向に対して異なる位置になるように配置しており、前記波長分散手段は、前記受信側レーザ光を前記波長毎に異なる前記マルチモードファイバの端面に出力する付記３または４に記載した空間光受信装置。
【０１８４】
（付記１５）前記光学系から送信側レーザ光を空間伝送路に出射する際に、前記波長多重レーザ光を波長毎に異なる角度で出射させる付記１０に記載した空間光通信方法。
【０１８５】
（付記１６）前記受信側レーザ光から、波長毎に励起状態が異なる、複数の伝搬モード光を含む伝搬モード群を生成する際に、前記受信側レーザ光を波長毎に分岐し、前記波長毎にマルチモード伝送媒体の端面の異なる位置に出力することにより、前記マルチモード伝送媒体から前記伝搬モード群を出力させる付記１０に記載した空間光通信方法。
【符号の説明】
【０１８６】
１００、７００、１１００、２１００、３１００、４１００、５１００、６１００    空間光受信装置
１０１    受信側レーザ光
１１０    集光手段
１２０    励起モード制御手段
１２１    マルチモード伝送媒体
１２２、５２２    レーザ光分離手段
１２３    波長分散手段
１２４    制御部
１３０    単一モード伝送媒体
１４０    受光手段
１５０、５５０    信号処理手段
２０１    送信側レーザ光
２１０、５１０    波長多重レーザ光送出手段
２１１    レーザ送信手段
２１２、５１２    合波手段
２１３、５１３    信号源
２１４    送信側遅延手段
２２０    コリメート手段
３５１    デジタルシグナルプロセッサ
３５２    論理和回路
４５１、６５１    第１の信号処理手段
４５２、６５２    第２の信号処理手段
４５３    受信側遅延手段
４６１、６６１    第１のセレクタ手段
４６２、６６２    第２のセレクタ手段
５１１    レーザ光源
５１４    変調手段
５６０    セレクタ
６１０    送信側光位相同期手段
６４０    受信側光位相同期手段
６７０    ハブ装置
７２１    マルチモードファイバ
１０００、２０００、４０００、５０００、６０００    空間光通信システム
１００１    大気の擾乱
１２００、２２００、４２００、５２００    空間光送信装置
【図１】
2016047100.tif 000003
【図２】
2016047100.tif 000004
【図３】
2016047100.tif 000005
【図４Ａ】
2016047100.tif 000006
【図４Ｂ】
2016047100.tif 000007
【図５】
2016047100.tif 000008
【図６】
2016047100.tif 000009
【図７】
2016047100.tif 000010
【図８】
2016047100.tif 000011
【図９】
2016047100.tif 000012
【図１０】
2016047100.tif 000013
【図１１】
2016047100.tif 000014
【図１２】
2016047100.tif 000015
【図１３】
2016047100.tif 000016
【図１４】
2016047100.tif 000017
【図１５】
2016047100.tif 000018
【図１６】
2016047100.tif 000019
【図１７】
2016047100.tif 000020
【図１８】
2016047100.tif 000021
【国際調査報告】
2016047100.tif 000022
2016047100.tif 000023